(57)【要約】【課題】部品数が増加することなく各種パネルへの駆動回路基板の共用化を図る。【解決手段】プラズマディスプレイパネルと、駆動信号を生成する駆動回路基板５０と、プラズマディスプレイパネルの側縁部に設けられた複数のパネル側端子部９２１と、駆動回路基板５０に設けられた複数の回路側端子部５２と、回路側端子部５２の各端子とパネル側端子部９２１の各端子とを電気的に接続するための複数のフレキシブル配線板８０とを備え、パネル側端子部９２１の個数よりも回路側端子部５２の個数が少なくなるように回路側端子部５２を設け、各回路側端子部５２ごとに、パネル側端子部９２１のいずれかとフレキシブル配線板８０を介して接続する。また、各回路側端子部５２ごとに、いずれかのパネル側端子部９２１を間引くようにして、残りのパネル側端子部９２１とフレキシブル配線板８０を介して接続する。【選択図】図５
2007232828.tif 000002
【特許請求の範囲】
【請求項１】
走査電極と維持電極とをそれぞれ複数有するプラズマディスプレイパネルと、
前記維持電極を駆動するための駆動信号を生成する駆動回路基板と、
前記維持電極と接続した複数本の電極引出端子で構成され、かつ前記プラズマディスプレイパネルの側縁部に設けられた複数のパネル側端子部と、
前記駆動信号を電気的に引き出すための複数本の信号引出端子で構成され、かつ前記駆動回路基板に設けられた複数の回路側端子部と、
前記回路側端子部の各信号引出端子と前記パネル側端子部の各電極引出端子とを電気的に接続するための複数のフレキシブル配線板とを備え、
前記パネル側端子部の個数よりも前記回路側端子部の個数が少なくなるように前記回路側端子部を設け、前記各回路側端子部ごとに、前記パネル側端子部のいずれかと前記フレキシブル配線板を介して接続したことを特徴とするプラズマディスプレイ装置。
【請求項２】
前記回路側端子部と前記パネル側端子部との接続において、いずれかの前記パネル側端子部を間引くようにして、前記各回路側端子部ごとに、残りの前記パネル側端子部と前記フレキシブル配線板を介して接続したことを特徴とする請求項１に記載のプラズマディスプレイ装置。
【請求項３】
パネル側端子部において前記維持電極のそれぞれと接続した前記電極引出端子の総本数は、前記維持電極の総本数よりも少ないことを特徴とする請求項２に記載のプラズマディスプレイ装置。
【発明の詳細な説明】
【技術分野】
【０００１】
本発明は、薄型ディスプレイ装置などに利用されるプラズマディスプレイパネルに関する。
【背景技術】
【０００２】
プラズマディスプレイパネル（以下、適宜、「パネル」と呼ぶ）は、前面パネル基板と背面パネル基板との一対のパネル基板を、両パネル基板間に放電空間が形成されるように対向配置し、放電空間に希ガスを封入し、周辺部を封着した構成である。前面パネル基板上には走査電極と維持電極とからなる表示電極が複数形成され、背面パネル基板上には表示電極と交差する方向にデータ電極が複数形成されており、表示電極とデータ電極との立体交差部には単位発光領域である放電セルが形成される。このように構成されたパネルの表示電極とデータ電極とに所定の電圧を印加して各放電セルで選択的に放電を発生させることで、各放電セルに形成された蛍光体層がこの放電によって発光し、これによってパネルから所望の画像が表示される。
【０００３】
また、パネルの各電極に所定の電圧を駆動信号として印加するため、前面パネル基板および背面パネル基板において、各電極に電気的に接続された電極引出線が、パネル周辺である側端部に複数個設けられたパネル側端子部まで引き出される。
【０００４】
図８は、このようなパネル側端子部周辺の構成例を示す図である。図８に示すように、パネル９０の周辺側端部に設けられた各パネル側端子部９２には、所定の本数を１つのブロックとして電極引出線９１が引き出されている。各パネル側端子部９２は、このように各電極を電気的に引き出した電極引出線９１の先端部である複数本の電極引出端子９４で構成される。図８では、要点を説明するため、８本の電極引出端子９４で１つのブロックを構成するような例を挙げているが、通常、パネル側端子部９２は、１００本から２００本程度の電極引出端子９４を単位として１つのブロックを構成している。パネル側端子部９２は、電極を駆動するための駆動回路を備えた駆動回路基板と接続するための端子である。このため、駆動回路基板においても、パネル側と同様に複数の回路側端子部が駆動回路基板の側縁部に設けられ、各回路側端子部は、各駆動信号を電気的に引き出した複数本の信号引出端子で１つのブロックを構成している。さらに、このパネル側端子部９２と駆動回路基板との電気的接続は、このパネル側端子部９２に対し、異方性を有する異方導電性接着剤などを介してフレキシブル配線板８０の端子部８２を圧着することにより行われる。また、駆動回路基板においても、同様にフレキシブル配線板８０のもう一方の端子部を回路側端子部に圧着することにより接続される。このようにして、駆動回路と各電極とが電気的に接続され、駆動回路基板で生成された各駆動信号がフレキシブル配線板８０を介して各電極に印加される。
【０００５】
ところで、近年、プラズマディスプレイパネルなどを利用した平面型表示装置において、画素の高密度化、高精細化の要求が高まっている。このような高密度化、高精細化を図るには、各放電セルを小さくし、パネルあたりの放電セル数を増やす必要がある。すなわち、ライン数の例を挙げて言えば、中精細度のライン数を４８０本とするのに対して高精細度では７２０本とするようなライン数に対応させることが必要となる。このため、高精細化を図るとき１つのパネルあたりで、上述した電極引出線９１の本数や電極引出端子９４の個数も増やす必要がある。
【０００６】
図９は、従来のプラズマディスプレイ装置の、高精細度のパネルを駆動するための構成例と中精細度のパネルを駆動するための構成例とを示す図である。図９では、それぞれのパネルにおいて、各維持電極を駆動するような一例を示している。維持電極駆動動作において各放電セルで選択的に維持放電を発生させるため、各走査ラインに対応した維持電極には、共通の維持電極駆動信号が印加される。通常、このように各維持電極には共通の維持電極駆動信号を印加すればよいため、図９のような各維持電極を同じ波形の維持電極駆動信号で同時に駆動するような構成が用いられる。また、各維持電極を同時に駆動するには１００アンペア以上のピーク電流が流れるようなパルス状の維持電極駆動信号が必要となる。このため、共通の信号であっても複数のフレキシブル配線板８０を介して接続したり、共通パターン配線などを利用したりして、維持電極駆動回路から各維持電極までのインピーダンスを低く抑え、駆動の均一化を図るとともに大電流による発熱なども抑制するような構成が用いられている。
【０００７】
図９（ａ）は、高精細のプラズマディスプレイ装置において、高精細用駆動回路基板７０１の維持電極駆動回路７７で生成した維持電極駆動信号を、複数のフレキシブル配線板８０を介して、高精細度のパネルである高精細パネル９０１の各維持電極の電極引出線９１１に供給するような構成例である。図９（ａ）において、維持電極駆動回路７７からの維持電極駆動信号は、共通パターン配線７５１を介し、分配されるようにして、それぞれの回路側端子部７２１の信号引出端子に供給される。さらに、各信号引出端子に供給された維持電極駆動信号は、８個のフレキシブル配線板８０を介して高精細パネル９０１の各パネル側端子部９２１に供給され、パネル側の共通パターン配線９５１および各電極引出線９１１を介してそれぞれの維持電極に供給される。
【０００８】
図９（ｂ）は、中精細のプラズマディスプレイ装置において、中精細用駆動回路基板７０２の維持電極駆動回路７７で生成した維持電極駆動信号を、複数のフレキシブル配線板８０を介して、中精細度のパネルである中精細パネル９０２の各維持電極の電極引出線９１２に供給するような構成例である。図９（ｂ）において、維持電極駆動回路７７からの維持電極駆動信号は、共通パターン配線７５２を介し、分配されるようにして、それぞれの回路側端子部７２２の信号引出端子に供給される。さらに、各信号引出端子に供給された維持電極駆動信号は、６個のフレキシブル配線板８０を介して中精細パネル９０２の各パネル側端子部９２２に供給され、パネル側の共通パターン配線９５２および各電極引出線９１２を介してそれぞれの維持電極に供給される。
【０００９】
図９に示したように、高精細パネル９０１と中精細パネル９０２とが同一サイズであっても、精細度によって電極数が異なるためパネル側端子部それぞれの配列構成も異なることとなる。このため、それぞれのパネルに適した駆動回路基板にしようとすると、駆動回路は同一であっても、それぞれのパネルに応じた構成の駆動回路基板が必要となる。すなわち、高精細パネル９０１に対応させるためには図９（ａ）の例のように、８個の回路側端子部７２１を設けたような高精細用駆動回路基板７０１が必要となり、中精細パネル９０２に対応させるためには、図９（ｂ）の例のように６個の回路側端子部７２２を設けたような中精細用駆動回路基板７０２が必要となる。このように、精細度やインチサイズに応じて回路基板などの部品を製造したり使用したりすると、量産効果が薄くなり回路基板のコストアップを招くこととなる。
【００１０】
このため、従来、プラズマディスプレイ装置の回路基板の共用化を図ることで量産効果を高めた技術が提案されている（例えば、特許文献１参照）。
【００１１】
図１０は、従来のプラズマディスプレイ装置の、駆動回路基板の共用化を図った構成例を示す図である。図１０では、高精細パネル９０１および中精細パネル９０２のどちらも、共用化を図った共用駆動回路基板７０から駆動されるような構成例を示している。また、図１０（ａ）は、高精細のプラズマディスプレイ装置、すなわち高精細パネル９０１を駆動する場合の構成例を示しており、図１０（ｂ）は、中精細のプラズマディスプレイ装置、すなわち中精細パネル９０２を駆動する場合の構成例を示している。すなわち、中精細パネル９０２を駆動する場合には、図１０（ｂ）に示すように中精細パネル９０２に対応させた共用駆動回路基板７０と中精細パネル９０２とを、６個のフレキシブル配線板８０を介して接続する。一方、高精細パネル９０１を駆動する場合には、図１０（ａ）に示すように共用駆動回路基板７０に拡張基板７９を付加して維持電極駆動信号を供給している。図１０（ａ）に示す拡張基板７９は回路側端子部および共通パターン配線を設けたような小基板である。図１０（ａ）では、このような拡張基板７９を、共用駆動回路基板７０の共通パターン配線７５で共通に接続された６個の回路側端子部７２の両側に設け、これによって８個のパネル側端子部９２１を備える高精細パネル９０１にも対応させた例を示している。このように、プラズマディスプレイ装置の種別が異なっても共用駆動回路基板７０を共用して利用できるため、量産効果によるコストダウンなどを図ることができる。
【００１２】
また、例えば、特許文献１では、回路側端子部と共用駆動回路基板に接続されるコネクタとを有する出力位置変換基板を設け、各パネル側端子部と共用駆動回路基板とを出力位置変換基板を介して接続することで、共用駆動回路基板の共用化を図ったプラズマディスプレイ装置が提案されている。
【特許文献１】特開２００３−１７３１５０号公報
【発明の開示】
【発明が解決しようとする課題】
【００１３】
しかしながら、図１０に示した拡張基板７９や特許文献１で提案されている出力位置変換基板を利用してプラズマディスプレイ装置の各種別に対応させる手法では、拡張基板や出力位置変換基板を共用駆動回路基板に設ける必要があり、これによって製造工程の工程数が増えるとともに複雑化するという課題があった。また、共用化によるコストダウンが見込めるものの、拡張基板や出力位置変換基板のような部品点数の増加によるコストアップが加わることとなるため、十分なコストダウンが図れない可能性もあった。
【００１４】
本発明は、上記課題を解決するためになされたもので、部品点数を増加させることなく、プラズマディスプレイ装置の種別にかかわらず基板の共用化が図れる構成を有したプラズマディスプレイ装置を提供することを目的とする。
【課題を解決するための手段】
【００１５】
上述したような課題を解決するために、本発明のプラズマディスプレイ装置は、走査電極と維持電極とをそれぞれ複数有するプラズマディスプレイパネルと、維持電極を駆動するための駆動信号を生成する駆動回路基板と、維持電極と接続した複数本の電極引出端子で構成されかつプラズマディスプレイパネルの側縁部に設けられた複数のパネル側端子部と、駆動信号を電気的に引き出すための複数本の信号引出端子で構成されかつ駆動回路基板に設けられた複数の回路側端子部と、回路側端子部の各信号引出端子とパネル側端子部の各電極引出端子とを電気的に接続するための複数のフレキシブル配線板とを備え、パネル側端子部の個数よりも回路側端子部の個数が少なくなるように回路側端子部を設け、各回路側端子部ごとに、パネル側端子部のいずれかとフレキシブル配線板を介して接続した構成である。
【００１６】
また、本発明のプラズマディスプレイ装置は、回路側端子部とパネル側端子部との接続において、いずれかのパネル側端子部を間引くようにして、各回路側端子部ごとに、残りのパネル側端子部とフレキシブル配線板を介して接続した構成である。
【００１７】
また、本発明のプラズマディスプレイ装置は、パネル側端子部において維持電極のそれぞれと接続した電極引出端子の総本数が維持電極の総本数よりも少ない構成である。
【発明の効果】
【００１８】
本発明のプラズマディスプレイ装置によれば、駆動回路基板はパネル側端子部よりも少ない個数の回路側端子部を設けた構成であり、さらに、それぞれの回路側端子部は、いずれかのパネル側端子部を間引いて、その残りのパネル側端子部と接続される構成であるため、駆動回路基板の回路側端子部の個数はパネル側端子部の個数に合わす必要はない。このため、回路側端子部の個数とパネル側端子部の個数とを合わすための拡張基板や出力位置変換基板などは必要ない。よって、本発明のプラズマディスプレイ装置によれば、部品点数を増加させることなく、かつプラズマディスプレイ装置の種別にかかわらず基板の共用化が図れる構成を有したプラズマディスプレイ装置を提供することができる。
【発明を実施するための最良の形態】
【００１９】
以下、本発明の実施の形態について図面を参照しながら詳細に説明する。
【００２０】
（実施の形態）
図１は、本発明の実施の形態におけるプラズマディスプレイ装置のパネルの分解斜視図である。パネル９０は、ガラス製の前面パネル基板２１と背面パネル基板３１とを対向配置して、その間に多数の放電セルを形成するように構成されている。前面パネル基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面パネル基板３１上には複数のデータ電極３２とそのデータ電極３２を覆うように絶縁体層３３が設けられ、さらに、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面パネル基板２１と背面パネル基板３１とが対向配置されており、電極の交差するそれぞれの位置に放電セルが形成されている。放電セルには放電ガスとして、例えばネオンとキセノンの混合ガスが封入されている。なお、パネル９０の構造は上述したものに限られるわけではなく、例えば井桁状の隔壁３４のかわりにストライプ状の隔壁を備えたものであってもよい。
【００２１】
図２は本発明の実施の形態におけるプラズマディスプレイ装置のパネル９０の電極配列図である。行方向にｎ本の走査電極ＳＣＮ１〜ＳＣＮｎ（図１の走査電極２２）およびｎ本の維持電極ＳＵＳ１〜ＳＵＳｎ（図１の維持電極２３）が配列され、列方向にｍ本のデータ電極ＤＤ１〜ＤＤｍ（図１のデータ電極３２）が配列されている。そして、一対の走査電極ＳＣＮｉおよび維持電極ＳＵＳｉ（ｉ＝１〜ｎ）と１つのデータ電極ＤＤｊ（ｊ＝１〜ｍ）とが交差した部分に放電セルが形成され、放電セルは放電空間内にｍ×ｎ個形成されている。
【００２２】
また、このような各電極は、図８で示した構成と同様に、それぞれの電極引出線９１により所定の本数を１つのブロックとして、パネル９０の周辺側端部に設けられた各パネル側端子部９２まで引き出されている。各パネル側端子部９２は、電極を駆動するための駆動回路基板と接続するための端子であり、このように各電極を電気的に引き出した電極引出線９１の先端部である複数本の電極引出端子９４で構成されている。さらに、このパネル側端子部９２と駆動回路基板との電気的接続は、このパネル側端子部９２に対し、異方性を有する異方導電性接着剤などを介してフレキシブル配線板８０の端子部８２を圧着することにより行われる。すなわち、例えば、図２で示す維持電極ＳＵＳ１〜ＳＵＳｎの場合、ｎ個の電極が所定の個数ｋを１つのブロックとして、ｋｘＡ＝ｎとなるようにＡ個のパネル側端子部９２に電気的に引き出されている。
【００２３】
また、図２に示すような各電極を駆動する手法として、１フィールド期間を複数のサブフィールドに分割したうえで、発光させるサブフィールドの組み合わせによって階調表示を行う方法が一般的である。このような手法はサブフィールド法と呼ばれており、本実施の形態でもこのようなサブフィールド法に基づき各電極を駆動するような構成例を挙げて説明する。
【００２４】
図３は本発明の実施の形態におけるプラズマディスプレイ装置のブロック図である。本プラズマディスプレイ装置は、パネル９０、画像信号処理部４２、データ電極駆動部４３、走査電極駆動部４４、維持電極駆動部４６およびタイミング発生部４８を備えている。画像信号処理部４２は、画像信号ｓｉｇを各放電セルのサブフィールドごとの発光・非発光を示す画像データに変換する。データ電極駆動部４３は、サブフィールドごとの画像データを各データ電極３２に対応する信号に変換し、各データ電極３２を駆動する。走査電極駆動部４４は、各走査電極２２に所定の駆動電圧波形である走査電極駆動信号を供給し、各走査電極２２を駆動する。維持電極駆動部４６は、各維持電極２３に所定の駆動電圧波形である維持電極駆動信号を供給し、各維持電極２３を駆動する。また、データ電極駆動部４３、走査電極駆動部４４および維持電極駆動部４６により、走査電極、維持電極およびデータ電極を駆動するための電極駆動部が構成される。タイミング発生部４８は、水平同期信号Ｈおよび垂直同期信号Ｖをもとにして各電極駆動部の駆動電圧波形を制御する各種のタイミング信号を発生し、各電極駆動部へ供給する。
【００２５】
このような構成のパネル９０において所定の表示を行うため、まず、データ電極ＤＤ１〜ＤＤｍと走査電極ＳＣＮ１〜ＳＣＮｎとの間に、データ電極駆動部４３および走査電極駆動部４４から書き込みパルスを印加することにより、データ電極ＤＤ１〜ＤＤｍと走査電極ＳＣＮ１〜ＳＣＮｎとの間でアドレス放電を行い、放電セルを選択する。さらに、放電セルを選択した後、走査電極ＳＣＮ１〜ＳＣＮｎと維持電極ＳＵＳ１〜ＳＵＳｎとの間に、走査電極駆動部４４および維持電極駆動部４６から交互に反転する周期的な維持パルスである駆動信号を印加することにより、走査電極ＳＣＮ１〜ＳＣＮｎと維持電極ＳＵＳ１〜ＳＵＳｎとの間で維持放電を行う。このような動作を行うことで、所望の画像などがパネル９０に表示される。
【００２６】
図４は、本実施の形態におけるプラズマディスプレイ装置の全体構成を示す図である。図４において、パネル９０を収容する筐体は、前面枠１２と金属製などのバックカバー１３とで構成され、前面枠１２の開口部には光学フィルターおよびパネル９０の保護を兼ねたガラスなどからなる前面カバー１４が配置されている。
【００２７】
パネル９０は、アルミニウムなどからなるシャーシ部材１５の前面に熱伝導シート１６を介して接着することにより保持される。そして、シャーシ部材１５の後面側には、パネル９０を表示駆動させるため駆動回路基板を含む複数の回路基板１７が取り付けられている。熱伝導シート１６は、パネル９０で発生した熱をシャーシ部材１５に効率よく伝え、放熱を行う。また、回路基板１７はパネル９０を表示駆動するための駆動回路やその制御などを行うための電気回路を備えている。さらに、駆動回路基板とパネル９０とは、シャーシ部材１５の四辺の縁部を越えて延びる図示しない複数のフレキシブル配線板によって接続される。
【００２８】
すなわち、回路基板１７において、パネル９０の電極群を駆動するため、図３で示した走査電極駆動部４４、維持電極駆動部４６およびデータ電極駆動部４３を駆動回路に具現化して実装した駆動回路基板が具備されている。フレキシブル配線板は、パネル９０の側縁部に引き出された走査電極ＳＣＮ１〜ＳＣＮｎおよび維持電極ＳＵＳ１〜ＳＵＳｎの電極引出端子９４で構成されるパネル側端子部９２と、走査電極駆動部４４および維持電極駆動部４６の基板側端子部とを接続する。さらに、フレキシブル配線板は、パネル９０の縁部に引き出されたデータ電極ＤＤ１〜ＤＤｍの電極引出端子で構成される端子ブロック部とデータ電極駆動部４３とを接続する。このとき、フレキシブル配線板は、パネル９０の外周部を通して、前面側より背面側に１８０度湾曲させ、引き回して配置する。
【００２９】
また、シャーシ部材１５の後面には、回路基板１７を取り付けたり、バックカバー１３を固定したりするためのボス部１５ａがダイカストなどによる一体成型により突設されている。なお、このシャーシ部材１５は、アルミニウム平板に固定ピンを固定して構成してもよい。
【００３０】
図５は、本発明の実施の形態におけるプラズマディスプレイ装置の駆動回路基板とパネルにおける電極との接続構成の一例を示した図である。図５では、高精細度のパネルである高精細パネル９０１の各維持電極ＳＵＳ１〜ＳＵＳｎに、駆動回路基板５０の維持電極駆動回路７７で生成した維持電極駆動信号を、複数のフレキシブル配線板８０を介して供給するような構成例を示している。
【００３１】
図５に示すように、高精細パネル９０１において、各維持電極ＳＵＳ１〜ＳＵＳｎからそれぞれ電極引出線９１１が引き出されている。さらに、各電極引出線９１１は、共通パターン配線９５１を介して、所定の本数を１つのブロックとして複数のパネル側端子部９２１に電気的に接続されている。図５では、複数のパネル側端子部９２１として、パネル側端子部９２１ａ、９２１ｂ、９２１ｃ、９２１ｄ、９２１ｅ、９２１ｆ、９２１ｇおよび９２１ｈとする８個のパネル側端子部９２１を備えた一例を示している。
【００３２】
また、駆動回路基板５０は、維持電極ＳＵＳ１〜ＳＵＳｎに維持電極駆動信号を供給する維持電極駆動回路７７を備えている。また、維持電極駆動回路７７からの維持電極駆動信号は、共通パターン配線５５を介し、分配されるようにして、それぞれの回路側端子部５２の信号引出端子に供給される。すなわち、駆動回路基板５０には、パネル側と同様に複数の回路側端子部５２が駆動回路基板５０の例えば側縁部に設けられており、各回路側端子部５２は、維持電極駆動信号を電気的に引き出した複数本の信号引出端子で１つのブロックを構成している。図５では、複数の回路側端子部５２として、４個の回路側端子部５２を備えた一例を示している。
【００３３】
なお、高精細パネル９０１の共通パターン配線９５１および駆動回路基板５０の共通パターン配線５５は、維持電極駆動回路７７から各維持電極ＳＵＳ１〜ＳＵＳｎまでのインピーダンスを低く抑え、駆動の均一化を図るとともに大電流による発熱なども抑制するために設けている。すなわち、維持電極駆動動作において各放電セルで選択的に維持放電を発生させるため、上述したように、維持電極ＳＵＳ１〜ＳＵＳｎには、共通の維持電極駆動信号を印加する。このため、図５に示す本実施の形態の維持電極を駆動する構成においても各維持電極を共通に駆動するような構成としている。
【００３４】
さらに、図５に示すように、高精細パネル９０１の側端部に設けられた各パネル側端子部９２１と駆動回路基板５０の側端部に設けられた各回路側端子部５２とは、複数のフレキシブル配線板８０を介して接続されている。このようにして、維持電極駆動回路７７と維持電極ＳＵＳ１〜ＳＵＳｎとが電気的に接続され、駆動回路基板５０で生成された維持電極駆動信号がフレキシブル配線板８０を介して各維持電極に印加される。
【００３５】
特に、本発明の実施の形態におけるプラズマディスプレイ装置では、図５に示すように、駆動回路基板５０の回路側端子部５２の個数と高精細パネル９０１におけるパネル側端子部９２１の個数とにおいて、パネル側端子部９２１よりも回路側端子部５２の個数が少なくなるように回路側端子部５２を設けている。さらに、いずれかのパネル側端子部９２１を間引くようにして、各回路側端子部５２ごとに、残りのパネル側端子部９２１とフレキシブル配線板８０を介して接続した構成としている。すなわち、図５に示す構成例では、高精細パネル９０１のパネル側端子部９２１の個数が８個であるのに対し、駆動回路基板５０の回路側端子部５２の個数をパネル側端子部９２１の個数よりも少ない４個としている。さらに、回路側端子部５２とパネル側端子部９２１とのフレキシブル配線板８０を介した接続において、駆動回路基板５０の４個の回路側端子部５２と高精細パネル９０１のパネル側端子部９２１ｂ、９２１ｄ、９２１ｅおよび９２１ｇとを接続し、高精細パネル９０１のパネル側端子部９２１において、パネル側端子部９２１ｃおよび９２１ｆを間引いたような接続構成としている。維持電極ＳＵＳ１〜ＳＵＳｎには共通、すなわち同じ駆動電圧波形の維持電極駆動信号を供給すればよいため、このような構成によっても維持電極ＳＵＳ１〜ＳＵＳｎを駆動することが可能である。本発明の実施の形態におけるプラズマディスプレイ装置は、このように、パネル側端子部の個数よりも回路側端子部の個数が少なくなるように、駆動回路基板における回路側端子部を設けた構成であることを特徴としており、このような構成とすることによって、駆動回路基板における部品数の増加を抑制している。さらに、本発明の実施の形態におけるプラズマディスプレイ装置は、いずれかのパネル側端子部を間引くようにして、各回路側端子部ごとに、残りのパネル側端子部とフレキシブル配線板を介して接続した構成であることを特徴としている。
【００３６】
ところで、上述したように、維持電極ＳＵＳ１〜ＳＵＳｎをそれぞれ同じ駆動電圧波形で同時に駆動するとき、１００アンペア以上のパルス状のピーク電流が流れるため、各維持電極までのインピーダンスを低く抑えて駆動の均一化を図るとともに、局所的な大電流の集中による基板の発熱なども抑制する必要がある。一方、パネル側端子部９２１よりも回路側端子部５２の個数が少なくなるようにしてフレキシブル配線板８０を介して接続する場合、フレキシブル配線板８０が接続されたパネル側端子部９２１からフレキシブル配線板８０が接続されていないパネル側端子部９２１に対応した維持電極までへの配線距離が長くなり、インピーダンスが増加して駆動が不均一になったり配線パターンでの発熱量が増加したりする。例えば、図５に示した高精細パネル９０１と駆動回路基板５０とにおいて、４個の回路側端子部５２からそれぞれ高精細パネル９０１のパネル側端子部９２１ｃ、９２１ｄ、９２１ｅおよび９２１ｆへとフレキシブル配線板８０がほぼ平行となるように接続した場合、フレキシブル配線板８０が接続されたパネル側端子部９２１ｃからフレキシブル配線板８０が接続されていないパネル側端子部９２１ａに対応した維持電極、およびフレキシブル配線板８０が接続されたパネル側端子部９２１ｆからフレキシブル配線板８０が接続されていないパネル側端子部９２１ｈに対応した維持電極までの配線距離が長くなる。このため、この例のような接続構成では、パネル側端子部９２１ａや９２１ｈに対応した維持電極へは、振幅や波形が劣化した維持電極駆動信号が供給されたり、パネル側端子部９２１ａや９２１ｈに対応した維持電極までの配線パターンでの発熱量が高くなるなどの不都合があった。
【００３７】
これに対し、本発明の実施の形態におけるプラズマディスプレイ装置では、上述したように、回路側端子部５２とパネル側端子部９２１とのフレキシブル配線板８０を介した接続において、いずれかのパネル側端子部、すなわち図５の場合ではパネル側端子部９２１ｃおよび９２１ｆを間引いたような構成としている。このため、例えば、フレキシブル配線板８０が接続されていないパネル側端子部９２１ｃに対応した維持電極にも、パネル側端子部９２１ｂと９２１ｄとの経路を主として維持電極駆動信号が供給されることになる。また、同様に、パネル側端子部９２１ｆに対応した維持電極にも、パネル側端子部９２１ｅと９２１ｇとの経路を主として維持電極駆動信号が供給されることになる。このように、フレキシブル配線板８０が接続されていないパネル側端子部に対応した維持電極には、そのパネル側端子部の両端のパネル側端子部それぞれを介して維持電極駆動信号が供給されることとなるため、信号の供給の偏りを緩和でき、このため、均一な維持電極駆動信号が供給される。また、パネル側端子部から維持電極までの配線距離も抑制できるため、発熱なども抑制することができる。
【００３８】
また、フレキシブル配線板８０が接続されていないパネル側端子部９２１ａや９２１ｈに対応した維持電極において、このようにパネル側端子部９２１ｃおよび９２１ｆを間引いたような構成とすることで、パネル側端子部９２１ｃ、９２１ｄ、９２１ｅおよび９２１ｆへとフレキシブル配線板８０がほぼ平行となるように接続した場合に比べて、フレキシブル配線板８０が接続されたパネル側端子部との配線距離を短くできる。すなわち、パネル側端子部９２１ｃ、９２１ｄ、９２１ｅおよび９２１ｆへとフレキシブル配線板８０がほぼ平行となるように接続した場合、パネル側端子部９２１ａに対応した維持電極には、パネル側端子部９２１ｃからパネル側端子部９２１ｂを介して維持電極駆動信号が供給されることになる。これに対し、図５に示す本実施の形態における構成では、パネル側端子部９２１ａに対応した維持電極には、パネル側端子部９２１ｂから維持電極駆動信号が供給されることとなり、配線距離を短くでき、これによって、フレキシブル配線板８０が接続されていない上下端におけるパネル側端子部９２１ａや９２１ｈに対応した維持電極などにおいても、供給する維持電極駆動信号が不均一となることや、配線パターンの発熱量を抑制できる。
【００３９】
また、本発明の実施の形態におけるプラズマディスプレイ装置は、パネル側端子部よりも回路側端子部の個数が少なくなるように回路側端子部を設け、さらに、いずれかのパネル側端子部を間引くようにして、各回路側端子部ごとに、残りのパネル側端子部とフレキシブル配線板を介して接続した構成とすることで、さらに、駆動回路基板５０が容易にプラズマディスプレイ装置の各機種に対応できるよう駆動回路基板５０の共用化を図っている。
【００４０】
図６は、図５で示した駆動回路基板５０を中精細度のパネルである中精細パネル９０２の駆動にも利用したときの構成例を示す図である。さらに、図６（ａ）は、駆動回路基板５０を用いて中精細パネル９０２を駆動する一構成例を示し、図６（ｂ）は、駆動回路基板５０を用いて中精細パネル９０２を駆動する他の構成例を示している。
【００４１】
図６に示す中精細パネル９０２において、各維持電極ＳＵＳ１〜ＳＵＳｎからそれぞれ電極引出線９１２が引き出されている。なお、図６に示す中精細パネル９０２の維持電極の個数ｎは、図５で示した高精細パネル９０１の維持電極の個数ｎよりも少ない。さらに、各電極引出線９１２は、共通パターン配線９５２を介して、所定の本数を１つのブロックとして複数のパネル側端子部９２２に電気的に接続されている。図６では、複数のパネル側端子部９２２として、パネル側端子部９２２ａ、９２２ｂ、９２２ｃ、９２２ｄ、９２２ｅおよび９２２ｆとする６個のパネル側端子部９２２を備えた一例を示している。さらに、図６に示すように、このような中精細パネル９０２には、図５で示したのと同様の駆動回路基板５０がフレキシブル配線板を介して接続されている。
【００４２】
まず、図６（ａ）において、回路側端子部５２とパネル側端子部９２２とのフレキシブル配線板８０を介した接続は、駆動回路基板５０の４個の回路側端子部５２と中精細パネル９０２のパネル側端子部９２２ａ、９２２ｃ、９２２ｄおよび９２２ｆとを接続し、パネル側端子部９２２ｂおよび９２２ｅにはフレキシブル配線板８０を接続せず、これらを間引いたような接続構成としている。このように、いずれかのパネル側端子部、すなわちパネル側端子部９２２ｂおよび９２２ｅを間引いたような構成であっても、図５の構成と同様に、例えば、フレキシブル配線板８０が接続されていないパネル側端子部９２２ｂに対応した維持電極にも、パネル側端子部９２２ａと９２２ｃとの経路を主として維持電極駆動信号が供給されることになる。よって、図６（ａ）に示すような駆動回路基板５０と中精細パネル９０２とを接続する構成であっても、フレキシブル配線板８０が接続されていないパネル側端子部に対応した維持電極に均一な維持電極駆動信号を供給でき、配線パターンの発熱なども抑制できる。
【００４３】
また、図６（ｂ）において、回路側端子部５２とパネル側端子部９２２とのフレキシブル配線板８０を介した接続は、駆動回路基板５０の４個の回路側端子部５２と中精細パネル９０２のパネル側端子部９２２ｂ、９２２ｃ、９２２ｄおよび９２２ｅとを接続し、中精細パネル９０２のパネル側端子部９２２において上下端のパネル側端子部９２２ａおよび９２２ｆには、フレキシブル配線板８０を接続しないような接続構成としている。このような図６（ｂ）に示す構成において、パネル側端子部９２２ａや９２２ｆに対応した維持電極には、他のパネル側端子部９２２ｂ、９２２ｃ、９２２ｄおよび９２２ｅに対応した維持電極に比べて、パネル側端子部９２２からの配線距離が長くなり、供給される信号が劣化する可能性もあるものの、維持電極駆動信号の劣化や配線パターンの発熱量が許容範囲内であれば、このような構成であってもよい。図６（ｂ）に示すようなパネル側端子部９２２ｂ、９２２ｃ、９２２ｄおよび９２２ｅへとフレキシブル配線板８０がほぼ平行となるような接続構成とすることにより、製造工程における作業性を上げることが見込める。
【００４４】
なお、図５および図６を用いた以上の説明では、高精細パネル９０１のパネル側端子部９２１の個数が中精細パネル９０２のパネル側端子部９２２の個数よりも多く設けた場合について説明したが、例えば高精細パネルのパネル側端子部の個数と中精細パネルのパネル側端子部の個数とを同じとすることによって、プラズマディスプレイ装置の種別にかかわることなく、より容易に基板の共用化を図れる。図７は、このような中精細パネルのパネル側端子部の個数と同じ個数のパネル側端子部を設けた高精細パネル９０３に対して、図５および図６で示した駆動回路基板５０を利用したときの構成例を示す図である。図７（ａ）は、駆動回路基板５０を用いて、図６で示した中精細パネル９０２と同じ個数のパネル側端子部９２３を備えた高精細パネル９０３を駆動する一構成例を示し、図７（ｂ）は、駆動回路基板５０を用いて、図７（ａ）と同様の高精細パネル９０３を駆動する他の構成例を示している。
【００４５】
図７に示す高精細パネル９０３において、各維持電極ＳＵＳ１〜ＳＵＳｎからそれぞれ電極引出線９１１が引き出されている。なお、図７に示す高精細パネル９０３の維持電極の本数ｎは、図６で示した中精細パネル９０２の維持電極の本数ｎよりも多い。さらに、各電極引出線９１１は、共通パターン配線９５３を介して、図６のパネル側端子部９２２と同じ所定の本数を１つのブロックとして複数のパネル側端子部９２３に電気的に接続されている。すなわち、上述したように、維持電極には共通の維持電極駆動信号を印加すればよいため、電極引出線９１１の本数と全電極引出端子の本数とを同一にする必要はなく、維持電極を駆動するための電極引出端子の総本数が維持電極の総本数よりも少ない構成とすることも可能である。図７では、複数のパネル側端子部９２３として、パネル側端子部９２３ａ、９２３ｂ、９２３ｃ、９２３ｄ、９２３ｅおよび９２３ｆとする６個のパネル側端子部９２３を備えた一例を示している。すなわち、図７では、高精細パネル９０３において、パネル側端子部９２３の個数を図６で示した中精細パネル９０２のパネル側端子部９２２と同じ個数とした一例を示している。さらに、図７に示すように、このような高精細パネル９０３には、図６で示したのと同様の駆動回路基板５０がフレキシブル配線板８０を介して接続されている。
【００４６】
図７（ａ）においては、回路側端子部５２とパネル側端子部９２３とのフレキシブル配線板８０を介した接続は、駆動回路基板５０の４個の回路側端子部５２と高精細パネル９０３のパネル側端子部９２３ａ、９２３ｃ、９２３ｄおよび９２３ｆとを接続し、パネル側端子部９２３ｂおよび９２３ｅにはフレキシブル配線板８０を接続せず、これらを間引いたような接続構成としている。また、図７（ｂ）において、回路側端子部５２とパネル側端子部９２３とのフレキシブル配線板８０を介した接続は、駆動回路基板５０の４個の回路側端子部５２と高精細パネル９０３のパネル側端子部９２３ｂ、９２３ｃ、９２３ｄおよび９２３ｅとを接続し、高精細パネル９０３のパネル側端子部９２３において上下端のパネル側端子部９２３ａおよび９２３ｆには、フレキシブル配線板８０を接続しないような接続構成としている。すなわち、図６の示した中精細パネル９０２と図７の示した高精細パネル９０３との比較より明らかなように、高精細パネルが、高精細パネルよりも少ない維持電極を有した中精細パネルと同じ個数のパネル側端子部を有する構成とすることによって、フレキシブル配線板を介したパネルと駆動回路基板との接続構成をほぼ同一とすることができるため、プラズマディスプレイ装置の種別にかかわらず、より容易に基板の共用化を図ることができる。
【００４７】
以上、図５、図６および図７を用いて説明したように、パネルに駆動信号を供給する駆動回路基板を、パネル側端子部よりも回路側端子部の個数が少なくなるように回路側端子部を設けた駆動回路基板５０とし、さらに、いずれかのパネル側端子部を間引くようにして、それぞれの回路側端子部と残りのパネル側端子部とをフレキシブル配線板を介して接続した構成とすることで、駆動回路基板５０が容易にプラズマディスプレイ装置の各機種に対応できることとなり、これによって駆動回路基板５０の共用化を容易に図ることが可能となる。
【００４８】
また、パネル側端子部の個数に合わせて駆動回路基板に拡張基板や出力位置変換基板を設けるような構成ではないため、製造工程の工程数や作業時間の増加を抑えるとともに、部品点数を増加させることなく基板の共用化を図ることができる。
【００４９】
よって、本発明のプラズマディスプレイ装置によれば、部品点数を増加させることなく、プラズマディスプレイ装置の種別にかかわらず基板の共用化が図れる構成を有したプラズマディスプレイ装置を提供することができる。
【産業上の利用可能性】
【００５０】
本発明のプラズマディスプレイ装置は、部品点数を増加させることなく各機種への基板の共用化を図ることができるので、プラズマディスプレイパネルなどのパネルを使用した表示装置などに有用である。
【図面の簡単な説明】
【００５１】
【図１】本発明の実施の形態におけるプラズマディスプレイ装置のパネルの分解斜視図
【図２】同プラズマディスプレイ装置のパネルの電極配列図
【図３】同プラズマディスプレイ装置のブロック図
【図４】同プラズマディスプレイ装置の全体構成を示す図
【図５】同プラズマディスプレイ装置の駆動回路基板とパネルにおける電極との接続構成の一例を示した図
【図６】同プラズマディスプレイ装置の駆動回路基板を中精細パネルの駆動にも利用したときの構成例を示す図
【図７】同プラズマディスプレイ装置の他の構成の高精細パネルに対して駆動回路基板を利用したときの構成例を示す図
【図８】パネル側端子部周辺の構成例を示す図
【図９】従来のプラズマディスプレイ装置の高精細パネルを駆動する構成例と中精細パネルを駆動する構成例とを示す図
【図１０】従来のプラズマディスプレイ装置の駆動回路基板の共用化を図った構成例を示す図
【符号の説明】
【００５２】
１２    前面枠
１３    バックカバー
１４    前面カバー
１５    シャーシ部材
１５ａ    ボス部
１６    熱伝導シート
１７    回路基板
２１    前面パネル基板
２２    走査電極
２３    維持電極
２４    誘電体層
２５    保護層
３１    背面パネル基板
３２    データ電極
３３    絶縁体層
３４    隔壁
３５    蛍光体層
４２    画像信号処理部
４３    データ電極駆動部
４４    走査電極駆動部
４６    維持電極駆動部
４８    タイミング発生部
５０    駆動回路基板
５２，７２，７２１，７２２    回路側端子部
５５，７５，７５１，７５２，９５１，９５２，９５３    共通パターン配線
７０    共用駆動回路基板
７７    維持電極駆動回路
７９    拡張基板
８０    フレキシブル配線板
８２    端子部
９０    プラズマディスプレイパネル（パネル）
９１，９１１，９１２    電極引出線
９２，９２１，９２２，９２３    パネル側端子部
９４    電極引出端子
７０１    高精細用駆動回路基板
７０２    中精細用駆動回路基板
９０１，９０３    高精細パネル
９０２    中精細パネル
【図１】
2007232828.tif 000003
【図２】
2007232828.tif 000004
【図３】
2007232828.tif 000005
【図４】
2007232828.tif 000006
【図５】
2007232828.tif 000007
【図６】
2007232828.tif 000008
【図７】
2007232828.tif 000009
【図８】
2007232828.tif 000010
【図９】
2007232828.tif 000011
【図１０】
2007232828.tif 000012